(57)【要約】【課題】常時は保護カバーにより充電端子を覆い、充電時には充電器に装着するだけで自動的に保護カバーを開き且つ開放動作時に充電端子に塵埃等が付着することのない携帯電話機の充電端子保護構造を提供する。【解決手段】充電器である卓上ホルダ１０１への携帯電話機本体１００の装着時、携帯電話機本体１００の矢印Ｃ方向への回転動作に連動して保護カバー４の凹部４ａと卓上ホルダ１０１側のフック爪２１ｂとが係合することにより、伸縮性ある保護カバー４が伸長して開状態となり、他の構成要素が当接することなしに露出した充電端子１１ａと卓上ホルダ１０１側の充電用接触ばね端子とが接触し、ワンタッチでの充電が可能な状態となる。充電完了し携帯電話機本体１００の取り外し時には、保護カバー４が縮んで元の位置に戻り閉状態となって充電端子１１ａを保護する。【選択図】      図４
2005006149.tif 000002
【特許請求の範囲】
【請求項１】
充電用の接触端子を有する卓上ホルダと、充電端子を有して前記卓上ホルダに装着され前記充電端子と前記接触端子との接触により充電が行われる携帯電話機本体とからなる携帯電話機の充電端子構造であって、
前記携帯電話機本体の前記接触端子に対応する位置に設けられ常時は前記充電端子を保護すべく閉状態であると共に、前記卓上ホルダへの装着時には装着動作に連動して開状態となり前記充電端子を露出させて前記接触端子との接触を可能とする開閉部材とを備えることを特徴とする携帯電話機の充電端子保護構造。
【請求項２】
前記開閉部材には、前記卓上ホルダへの装着時に前記卓上ホルダ側の爪部に係合して開状態を形成する係合部が設けられることを特徴とする請求項１記載の携帯電話機の充電端子保護構造。
【請求項３】
前記係合部が凹部であることを特徴とする請求項２記載の携帯電話機の充電端子保護構造。
【請求項４】
前記開閉部材が伸縮性を有する材料からなることを特徴とする請求項１ないし３のいずれかに記載の携帯電話機の充電端子保護構造。
【請求項５】
前記開閉部材が伸縮性のない材料からなることを特徴とする請求項１ないし３のいずれかに記載の携帯電話機の充電端子保護構造。
【請求項６】
前記開閉部材が前記装着動作に関係なく手動により開閉しうることを特徴とする請求項１ないし４のいずれかに記載の携帯電話機の充電端子保護構造。
【請求項７】
前記携帯電話機本体の前記充電端子は外部インターフェース部に併設され、前記開閉部材が前記外部インターフェース部に対しても閉状態及び開状態となることを特徴とする請求項１ないし６のいずれかに記載の携帯電話機の充電端子保護構造。
【発明の詳細な説明】
【０００１】
【発明の属する技術分野】
本発明は、携帯電話機等における充電端子保護構造に関する。
【０００２】
【従来の技術】
従来、携帯電話機においては、図１１に示すように、携帯電話機本体３００の側面に充電端子３１が常時剥き出し状態に設けられており、このため充電端子３１には塵埃や傷が付着しやすく、充電不良を招く要因となっている。
【０００３】
この不具合を解消するための先行技術が、以下の特許文献１及び特許文献２に開示されている。
【０００４】
【特許文献１】
特開平８−２６５４０５号公報（第２−３頁、図１−４）
【特許文献２】
特開平１１−１５５２３８号公報（第３頁、図１−８）
特許文献１による従来の構造を図１２に示す。充電端子４１を有する携帯電話機本体４００に開放口４２を設け、開放口４２を開閉する保護カバー４３を軸部４４及びコイルばね４５を介して回動可能に装着し、常時は保護カバー４３で開放口４２を閉鎖し充電端子４１が剥き出しにならない構造である。充電器４０１に携帯電話機本体４００を設置すると、充電器４０１側の充電端子４６が保護カバー４３をコイルばね４５の付勢力に抗して開放し、充電端子４６は開放口４２の内方に侵入し対向位置にある充電端子４１に接触し、充電が行われる。
【０００５】
また、特許文献２による構造では、携帯電話機の充電端子装着部にスライド板をスライド自在に設け、充電端子を覆う位置と露出させる位置をスライド板の手動スライドにより選択するようになっており、常時はスライド板で充電端子を覆い、充電時にはスライド板を手動で移動させて充電端子を露出させるものである。
【０００６】
【発明が解決しようとする課題】
上述した特許文献１の技術においては、保護カバーにより充電端子が常時剥き出しにならない構造である。しかし充電器に携帯電話機本体を設置して充電する際、充電器側の充電端子が保護カバーに当接しつつこれを開放するようになっているため、充電器側の充電端子天面に保護カバーの塵埃が付着してしまうという問題がある。
【０００７】
一方、特許文献２の技術においては、充電時に特許文献１のごとく充電端子に他の構成要素が当接して塵埃が付着するという恐れはないが、常時と充電時にスライド板を手動で移動させて位置を選択する必要があり、操作性に難点があるとともに、充電動作後に露出位置にあるスライド板を充電端子を覆う位置に戻すのを忘れる危険性がある。
【０００８】
本発明の目的は、上記従来の問題点を解消し、常時は保護カバーにより充電端子を覆い、充電時には充電器（卓上ホルダ）にセットするだけで自動的に保護カバーを開き且つ開放動作時に充電端子に塵埃等が付着することのない携帯電話機の充電端子保護構造を提供することにある。
【０００９】
【課題を解決するための手段】
本発明の携帯電話機の充電端子保護構造は、充電用の接触端子を有する卓上ホルダと、充電端子を有して前記卓上ホルダに装着され前記充電端子と前記接触端子との接触により充電が行われる携帯電話機本体とからなる携帯電話機の充電端子構造であって、前記携帯電話機本体の前記接触端子に対応する位置に設けられ常時は前記充電端子を保護すべく閉状態であると共に、前記卓上ホルダへの装着時には装着動作に連動して開状態となり前記充電端子を露出させて前記接触端子との接触を可能とする開閉部材とを備えている。
【００１０】
この携帯電話機の充電端子保護構造において、前記開閉部材には前記卓上ホルダへの装着時に前記卓上ホルダ側の爪部に係合して開状態を形成する係合部が設けられており、この係合部が凹部であることが好ましい。
【００１１】
また前記開閉部材が伸縮性を有する材料からなるもの、あるいは伸縮性のない材料からなるものであってもよい。
【００１２】
また前記開閉部材は前記装着動作に関係なく手動により開閉しうるものとすることもできる。
【００１３】
【発明の実施の形態】
次に、本発明について図面を参照して説明する。
【００１４】
図１は本発明の第１の実施の形態の折畳み型携帯電話機の概略外観を示す斜視図、図２はこの実施の形態における充電器としての卓上ホルダを示し（ａ）は全体の斜視図、（ｂ）は（ａ）の矢視Ｂによる斜視図、図３はこの実施の形態における携帯電話機本体の充電端子設置側を示す分解斜視図、図４ないし図７はそれぞれ図１のＡ−Ａ線による断面図で且つこの実施の形態の動作状況を順次に示す図である。
【００１５】
第１の実施の形態の構成について説明する。図１に示すように、携帯電話機本体１００は筐体１、筐体２、キー操作部３及び外部インターフェイス端子用の保護カバー４を有する側と、筐体５、筐体６、液晶表示部７、受話部８及びアンテナ部９を有する側とで構成されている。なお、開閉部材としての外部インターフェイス端子用の保護カバー４は伸縮性のある材料（例えばゴム製）からなっており、また中央部に凹部４ａを有する。
【００１６】
充電器としての卓上ホルダ１０１は、図２に示すように、筐体２１と筐体２２及び充電用接触ばね端子２３とを有する。筐体２１にはまた携帯電話機本体嵌合用の固定爪２１ａ、及び外部インターフェイス端子用の保護カバー４の凹部４ａと係合するフック爪２１ｂが設けられる。
【００１７】
図３には携帯電話機本体１００の充電端子設置側が分解斜視図で示され、筐体１、筐体２及びキー操作部３を有すると共に、筐体１、２内部にプリント基板１０が配置され、プリント基板１０の端部には外部インターフェイス端子１１が配置構成される。外部インターフェイス端子１１には、充電端子１１ａが設けられる。筐体２には保護カバー４を嵌合するための突起２ａと溝２ｂが有る。
【００１８】
伸縮性のある材料からなる保護カバー４は略Ｌ字状を呈しており、Ｌ字状の中央部には卓上ホルダ１０１のフック爪２１ｂと係合する凹部４ａが設けられ、またＬ字状の他端は伸縮自在なアーム部４ｂとなっている。アーム部４ｂには穴４ｃが配置されており、また保護カバー４の両側面には突起４ｄが配置されている。このような形状の保護カバー４は、筐体２の突起２ａに穴４ｃを圧入し且つ筐体２の溝２ｂに突起４ｄを嵌入しつつ、外部インターフェイス端子１１に相対するようにして筐体２に取り付けられる。
【００１９】
次に、上述した構成の第１の実施の形態における携帯電話機本体の卓上ホルダへの装着動作について、図４ないし図７を参照して説明する。
【００２０】
上述した構成の状態でまず図４に示すように、携帯電話機本体１００を充電器としての卓上ホルダ１０１上に装着し、携帯電話機本体１００の筐体２の一端に有る凹部２ｃを卓上ホルダ１０１の筐体２１の固定爪２１ａへ嵌合させ、その部分を支点として携帯電話機本体１００を矢印Ｃ方向に回転させながら卓上ホルダ１０１上に取り付ける。
【００２１】
すると図５に示すように、保護カバー４の凹部４ａが卓上ホルダ１０１の筐体２１のフック爪２１ｂと接触し始める。
【００２２】
さらに矢印Ｃ方向に回転させると、保護カバー４の伸縮自在なアーム部４ｂが伸ばされて徐々に保護カバー４が持ち上げられ、同時に外部インターフェイス端子１１と充電端子１１ａが露出し始める。このとき保護カバー４は、突起４ｄが嵌入している筐体２の溝２ｂをガイドとしながら垂直に持ち上げられる。
【００２３】
最終的に、携帯電話機本体１００が卓上ホルダ１０１上に取り付け装着完了すると、図６に示す状態となり、完全に保護カバー４が持ち上げられる。
【００２４】
図７は取り付け装着完了状態での充電端子部の断面図を示しており、保護カバー４から露出した外部インターフェイス端子１１に配置された充電端子１１ａと卓上ホルダ１０１の充電用接触ばね端子２３とが接触し、充電可能状態となっている。
【００２５】
充電完了後には、卓上ホルダ１０１から携帯電話機本体１００を矢印Ｃと反対方向に回転させて取り外すと、伸縮自在な保護カバー４の伸縮性により、保護カバー４は反力により筐体２の溝２ｂ内を突起４ｄがスライドしながら元の位置に戻る。
【００２６】
以上説明したように、携帯電話機本体１００の卓上ホルダ１０１への装着時、携帯電話機本体１００の回転動作に連動して保護カバー４の凹部４ａと卓上ホルダ１０１側のフック爪２１ｂとが係合することにより、保護カバー４が伸長しつつ開状態となり、他の構成要素が当接することなしに露出した充電端子１１ａと卓上ホルダ１０１側の充電用接触ばね端子２３とが接触し、充電が可能な状態となる。充電完了し携帯電話機本体１００の取り外し時には、保護カバー４が縮んで元の位置に戻り閉状態となって充電端子１１ａを保護する。
【００２７】
次に、本発明の第２の実施の形態について説明する。図８は第２の実施の形態の動作状況を示す断面図である。
【００２８】
第２の実施の形態は、携帯電話機本体を充電器としての卓上ホルダに装着しない場合においても、開閉部材である保護カバーが装着動作に関係なく手動により開閉しうる形態を示すものである。
【００２９】
図８に示す携帯電話機本体１００の構成は、上述した第１の実施の形態の構成と全く同様であり、図８には外部インターフェイス端子１１を保護する伸縮自在な保護カバー４、筐体２に設けた突起２ａと溝２ｂ、保護カバー４の側面に設けた突起４ｄが示されている。
【００３０】
常時は、筐体２の溝２ｂが保護カバー４の突起４ｄを嵌入した状態で保護カバー４の開き防止構造として機能し、外部インターフェイス端子１１及び充電端子１１ａを保護している。充電時、卓上ホルダ１０１を使用せず直接に外部インターフェイス端子１１及び充電端子１１ａにより充電を行う場合には、伸縮性のある保護カバー４を手で伸ばして溝２ｂと突起４ｄの嵌合を外し、図８に示すように保護カバー４を開くことができる。
【００３１】
次に、本発明の第３の実施の形態について説明する。図９は第３の実施の形態における携帯電話機本体の充電端子設置側を示す分解斜視図、図１０はその動作状況を示す断面図である。
【００３２】
第３の実施の形態の携帯電話機本体２００の構成は、上述した第１の実施の形態の携帯電話機本体１００の構成と大略において同様であり、保護カバーの使用材料及び形状の一部が異なっているだけである。
【００３３】
第１の実施の形態では保護カバーの材料に伸縮性のあるものを使用したが、第３の実施の形態においては保護カバーにエラストマ樹脂のような伸縮性のない材料を用いている。また図９に示すように、保護カバー１４にはコの字型に凹んだ凹部１４ａを設け、そのアーム部１４ｂには長円形状の穴１４ｃを設ける。その他の構成は卓上ホルダ１０１を含めて第１の実施の形態と同様である。
【００３４】
図１０に示すように、卓上ホルダ１０１に装着する際には、携帯電話機本体２００の矢印Ｃ方向の回転動作により、保護カバー１４の凹部１４ａが卓上ホルダ１０１の筐体２１のフック爪２１ｂと嵌合して保護カバー１４が開く。この実施の形態では保護カバー１４の穴１４ｃが長円形状となっているため、筐体２の突起２ａとアーム部１４ｂとの間のギャップスペースを大きくとることができ、従って保護カバー１４全体が自由に動くことが可能であり、これにより伸縮性のない材料であっても保護カバー１４が開き、外部インターフェイス端子１１及び充電端子１１ａが露出し、充電が可能となる。
【００３５】
また充電完了後、携帯電話機本体２００を取り外す際にも、卓上ホルダ１０１の筐体２１のフック爪２１ｂが保護カバー１４の凹部１４ａに嵌合した状態のまま携帯電話機本体２００が持ち上げられることにより、保護カバー１４には元の位置へ戻る力が作用するため、この力により携帯電話機本体２００を取り外しながら、かつ保護カバー１４を閉じることが可能となる。
【００３６】
なお上述した各実施の形態においては、携帯電話機本体１００、２００として折畳み型携帯電話機を用いて説明したが、これに限定することなく、折畳み型以外の携帯電話機に対しても同様に適用することができる。
【００３７】
【発明の効果】
第１の効果は、携帯電話機使用時に常時充電端子を保護することができるので、充電端子への傷付きや汚れを防止することができ、これにより充電不良等の問題を回避することができることである。
【００３８】
その理由は、開閉動作可能で常時は充電端子を含む外部インターフェイス部を閉状態に覆う開閉部材（保護カバー）を有するからである。
【００３９】
第２の効果は、充電器としての卓上ホルダに装着する際に保護カバーを意図的に開けることなく、従来の携帯電話機同様に卓上ホルダにセットするだけで、保護カバーが開いてワンタッチで充電可能となり、操作上の煩わしさがないことである。
【００４０】
その理由は、装着時、卓上ホルダの爪部に保護カバーの凹部が係合し、装着動作に連動して保護カバーが開状態となるからである。
【００４１】
第３の効果は、保護カバーが開状態となる開放動作中に充電端子への塵埃等の付着の恐れがないことである。
【００４２】
その理由は、開放動作が卓上ホルダの爪部と保護カバーの凹部の係合によって行われ、充電端子には他の構成要素が当接することがないからである。
【図面の簡単な説明】
【図１】本発明の第１の実施の形態の折畳み型携帯電話機の概略外観を示す斜視図である。
【図２】この実施の形態における充電器としての卓上ホルダを示し、（ａ）は全体の斜視図、（ｂ）は同図（ａ）の矢視Ｂによる斜視図である。
【図３】この実施の形態における携帯電話機本体の充電端子設置側を示す分解斜視図である。
【図４】図１のＡ−Ａ線による断面図で且つこの実施の形態の第１の動作状況を示す図である。
【図５】図１のＡ−Ａ線による断面図で且つこの実施の形態の第２の動作状況を示す図である。
【図６】図１のＡ−Ａ線による断面図で且つこの実施の形態の第３の動作状況を示す図である。
【図７】図１のＡ−Ａ線による断面図で且つこの実施の形態の第４の動作状況を示す図である。
【図８】本発明の第２の実施の形態の動作状況を示す断面図である。
【図９】本発明の第３の実施の形態における携帯電話機本体の充電端子設置側を示す分解斜視図である。
【図１０】第３の実施の形態の動作状況を示す断面図である。
【図１１】従来の携帯電話機における充電端子構造の一例を示す斜視図である。
【図１２】特許文献１による従来の携帯電話機における充電端子構造を示す断面図である。
【符号の説明】
１００、２００、３００、４００    携帯電話機本体
１０１    卓上ホルダ
１、２、５、６、２１、２２    筺体
３    キー操作部
４、１４、４３    保護カバー
７    液晶表示部
８    受話部
９    アンテナ部
１０    プリント基板
１１    外部インターフェイス端子
１１ａ、３１、４１、４６    充電端子
２３    充電用接触ばね端子
２ａ    突起
２ｂ    溝
２ｃ    凹部
４ａ、１４ａ    凹部
４ｂ、１４ｂ    アーム部
４ｃ、１４ｃ    穴
４ｄ、１４ｄ    突起
２１ａ    固定爪
２１ｂ    フック爪
４０１    充電器
４２    開放口
４４    軸部
４５    コイルばね
【図１】
2005006149.tif 000003
【図２】
2005006149.tif 000004
【図３】
2005006149.tif 000005
【図４】
2005006149.tif 000006
【図５】
2005006149.tif 000007
【図６】
2005006149.tif 000008
【図７】
2005006149.tif 000009
【図８】
2005006149.tif 000010
【図９】
2005006149.tif 000011
【図１０】
2005006149.tif 000012
【図１１】
2005006149.tif 000013
【図１２】
2005006149.tif 000014